(57)【要約】【課題】  搭載説明書の同梱を廃止して搭載説明書を冊子化する費用を削減し、且つ、搭載説明を簡単に確認できるようにした自動原稿搬送装置用梱包箱。【解決手段】  原稿台に載置した原稿を読取位置まで自動的に搬送する自動原稿搬送装置を梱包するための自動原稿搬送装置用梱包箱において、前記自動原稿搬送装置を所定の画像形成装置に搭載するための搭載説明を、任意の外表面に印刷したこと。【選択図】        図５
2005053544.tif 000002
【特許請求の範囲】
【請求項１】
原稿台に載置した原稿を読取位置まで自動的に搬送する自動原稿搬送装置を梱包するための自動原稿搬送装置用梱包箱において、
前記自動原稿搬送装置を所定の画像形成装置に搭載するための搭載説明を、任意の外表面に印刷したことを特徴とする自動原稿搬送装置用梱包箱。
【請求項２】
前記搭載説明は、同梱部品表、搭載手順書、若しくは調整手順書の少なくとも何れか一つからなることを特徴とする請求項１に記載の自動原稿搬送装置用梱包箱。
【発明の詳細な説明】
【技術分野】
【０００１】
本発明は、原稿を自動的に搬送する自動原稿搬送装置を梱包するための自動原稿搬送装置用梱包箱に関する。
【背景技術】
【０００２】
電子写真複写機、プリンタ、ファクシミリ等の画像形成装置において、多数枚の原稿を読み取る場合に、プラテンカバーを開放して原稿を１枚ずつ原稿台ガラス台上に載置し、プラテンカバーを閉鎖するといった作業を繰り返し行うのは非能率的であるので、原稿台に載置した原稿を読取位置まで自動的に搬送する自動原稿搬送装置（ＡＤＦ）が従来より用いられている。そして、自動原稿搬送装置を用いた場合には、原稿台にセットした原稿が１枚ずつスリット露光用ガラスの上に自動的に搬送され、スリット露光用ガラスの下方に位置する光学系により原稿を読み取っている。
【０００３】
また、画像形成装置及び自動原稿搬送装置を出荷する場合は、これらが別々に梱包されていて、現地でサービスマンが開梱し、設置した画像形成装置に自動原稿搬送装置を搭載している。
【０００４】
ここで、画像形成装置に自動原稿搬送装置を搭載する際には、サービスマンは自動原稿搬送装置と共に同梱されている搭載説明書を見ながら作業を進めることになる。搭載説明書には同梱されている部品を示す同梱部品表、自動原稿搬送装置の搭載手順を説明した搭載手順書、及び搭載した自動原稿搬送装置を調整するための調整手順書等が記載されている。
【０００５】
なお、自動原稿搬送装置においては、薄紙の原稿を搬送すると、ジャムが発生することがある。使用可能な紙厚は取り扱い説明書に記載されていて、また、サービスマンによっても説明されるが、ユーザーが充分に認識していないときには上述の如き不都合が発生する。そこで、自動原稿搬送装置の梱包用紙の一部を最薄原稿サンプルとしたものがある。（特許文献１参照）
【特許文献１】特開２００１−３１５８８７号公報
【発明の開示】
【発明が解決しようとする課題】
【０００６】
以上の如く、画像形成装置に自動原稿搬送装置を搭載する際には、サービスマンは自動原稿搬送装置と共に同梱されている搭載説明書を見ながら作業を進めるが、ときにはサービスマンが搭載説明書を紛失して、例えば調整規格が分からなくなってしまうといったことが生ずる。一方、サービスマンが同一機種の多数の自動原稿搬送装置を続けて搭載する場合は、搭載説明書が一冊あれば充分であって、他の搭載説明書は無駄になる。また、サービスマンが搭載手順や調整手順を覚えてしまったときにも、搭載説明書が不要になる。
【０００７】
本発明はかかる問題に鑑みてなされたものであり、搭載説明書の同梱を廃止して搭載説明書を冊子化する費用を削減し、且つ、搭載説明を簡単に確認できるようにした自動原稿搬送装置用梱包箱を提案することを目的とする。
【課題を解決するための手段】
【０００８】
上記目的は下記の手段によって達成される。
【０００９】
原稿台に載置した原稿を読取位置まで自動的に搬送する自動原稿搬送装置を梱包するための自動原稿搬送装置用梱包箱において、前記自動原稿搬送装置を所定の画像形成装置に搭載するための搭載説明を、任意の外表面に印刷したことを特徴とする自動原稿搬送装置用梱包箱。
【発明の効果】
【００１０】
本発明によれば、自動原稿搬送装置を画像形成装置に搭載するための説明が梱包箱の外表面に印刷されているので、搭載説明を冊子化する費用を削減でき、且つ、搭載説明を簡単に確認することができる。従って、従来の如く、サービスマンが搭載説明書を紛失して、例えば調整規格が分からなくなってしまうといったことが生じたり、サービスマンが多数の同一機種を続けて搭載する場合は、搭載説明書が一冊あれば充分であって、他の搭載説明書は無駄になったり、サービスマンが搭載手順や調整手順を覚えてしまったときに、搭載説明書が不要になったりするといったことが生じない。
【発明を実施するための最良の形態】
【００１１】
本発明の自動原稿搬送装置用梱包箱に関する実施の形態を図を参照して詳細に説明する。
【００１２】
先ず、自動原稿搬送装置用梱包箱に梱包する自動原稿搬送装置の一例を図１乃至図４に基づいて説明する。
【００１３】
図１は自動原稿搬送装置１の斜視図であり、自動原稿搬送装置１は図２に示す如く画像形成装置２に搭載される。
【００１４】
次に、自動原稿搬送装置１の構成を図３の断面図に基づいて説明する。なお、２０は読取光学装置であり、３０は原稿台読取装置であって、共に画像形成装置２に配置されている。
【００１５】
図３において、原稿Ｄは、給紙皿１１上に積載された後、原稿Ｄの給紙方向と直交する幅方向に移動可能な幅規制部材１２によって整合されて幅規制され、原稿長検出センサ１３Ａ，１３Ｂ，１３Ｃとによって原稿Ｄの搬送方向の長さが検出される。従って、給紙皿１１上に載置された原稿Ｄのサイズは、幅規制部材１２の移動量と、原稿長検出センサ１３Ａ，１３Ｂ，１３Ｃとにより検出される。
【００１６】
給紙皿１１の原稿給送方向の下流側には、送り出しローラ対１４Ａ、分離給送ローラ対１４Ｂ、レジストローラ対１４Ｃが配置されている。昇降可能な送り出しローラ対１４Ａは、駆動ローラと従動ローラとからなり駆動源より伝達系を経て回転され、給紙皿１１上に積載された原稿Ｄの上層の少数枚の原稿Ｄを送り出す。送り出しローラ対１４Ａの下流側に配置された分離給送ローラ対１４Ｂは、駆動源に接続して回転可能な送りローラと、トルクリミッタを有する停止ローラとからなる。分離給送ローラ対１４Ｂの更に下流側に配置されたレジストローラ対１４Ｃは、駆動源に接続して回転可能なレジストローラと従動ローラとからなる。送り出しローラ対１４Ａ、分離給送ローラ対１４Ｂ、レジストローラ対１４Ｃは、図示しない駆動源のステッピングモータ等からなる給紙用モータにより駆動される。
【００１７】
レジストローラ対１４Ｃの回転開始は、以降における原稿Ｄの搬送タイミング及び画像読み取りタイミング等の基準となる。
【００１８】
また、レジストローラ対１４Ｃの上流側には、原稿Ｄの通過を検出する通過センサＰＳ１０が配置されており、原稿Ｄのレジスト、ジャム等を検出する。
【００１９】
レジストローラ対１４Ｃから排出された原稿Ｄは、案内板１６Ａに沿って進行し、回転する大径の搬送ドラム１５と従動ローラ１６Ｂ，１６Ｃにより挟持されて搬送ドラム１５の外周面に沿って搬送され、画像読取位置Ｒを通過する。画像読取位置Ｒにおいては、光透過性のスリット露光用ガラス２１と、原稿Ｄを案内する案内板１６Ｄとが対向する間隙を原稿Ｄが通過するとき、後述する読取光学装置２０により原稿Ｄの画像が読み取られる。
【００２０】
なお、画像読取位置Ｒにおいて原稿Ｄの画像が読み取られた後は、その原稿が片面原稿であるか、両面原稿であるかによってその後の搬送経路が異なる。次に、これらの搬送経路を図４により説明する。
【００２１】
図４（ａ）は片面原稿の搬送経路を示す図である。
【００２２】
片面原稿の場合には、画像読取位置Ｒにおいて原稿Ｄの画像が読み取られた後、原稿Ｄは引き続き搬送ドラム１５の外周面に沿って搬送され、分岐板１７Ａ，１７Ｂを経由して、排紙ローラ対１８Ａにより排紙皿１９上に排出される。
【００２３】
図４（ｂ）は両面原稿の第１面画像の読み取り搬送経路を示す図である。
【００２４】
両面原稿の場合には、画像読取位置Ｒにおいて原稿Ｄの第１面画像が読み取られた後、原稿Ｄは分岐板１７Ａにより搬送ドラム１５の外周面から分岐されて搬送され、排紙ローラ対１８Ｂにより原稿押圧板３３と一体をなす両面原稿皿３２上に一旦排出される。この原稿排出時において、原稿Ｄの後端部は排紙ローラ対１８Ｂにより挟持されている。
【００２５】
図４（ｃ）は両面原稿の第２面画像の読み取り搬送経路を示す図である。
【００２６】
上述の如く後端部が排紙ローラ対１８Ｂにより挟持されている原稿Ｄは、排紙ローラ対１８Ｂの逆転駆動により、搬送ドラム１５の外周面方向に搬送されて、搬送ドラム１５と従動ローラ１６Ｅに挟持され、更に第１面画像読み取り搬送経路と共通の経路の従動ローラ１６Ｂ，１６Ｃとに順次挟持されて、再びスリット露光用ガラス２１と案内板１６Ｄとが対向する画像読取位置Ｒを通過し、読取光学装置２０により、原稿Ｄの第２面画像が読み取られる。第２面画像が読み取られてた後は、引き続き搬送ドラム１５の外周面に沿って搬送され、分岐板１７Ａ，１７Ｂによる搬送路切り替えによって、排紙ローラ対１８Ａにより排紙皿１９上に排出される。
【００２７】
読取光学装置２０は、図３に示す如く自動原稿搬送装置１を用いてスリット露光用ガラス２１上の画像読取位置Ｒに搬送されて通過中の原稿Ｄに対して、静止状態の光源２２等により光照射を行う原稿移動読取機能（実線で図示）と、自動原稿搬送装置１を用いずに原稿台ガラス（プラテンガラス）３１上に載置した原稿Ｄに対して、光源２２等を移動させて光照射を行う光学系移動読取機能（破線で図示）との二つの機能からなる。
【００２８】
光源２２は、主走査方向（図３における紙面垂直方向）に伸びる線状光源であり、スリット露光用ガラス２１上の画像読取位置Ｒまで搬送された原稿Ｄ、及び原稿台ガラス３１上に載置された原稿Ｄに対して光照射を行う。第１ミラー２３、Ｖミラー２４Ａ，２４Ｂは、光源２２から出射し、原稿Ｄから反射した光を、後述の撮像素子２６に導く。
【００２９】
光学系移動読取機能において、原稿Ｄの画像を読みとる際には、光源２２及び第１ミラー２３は一体となって主走査方向と直交する副走査方向（図３において左右方向）に移動すると共に、Ｖミラー２４Ａ，２４Ｂは光源２２及び第１ミラー２３の移動速度の１／２の移動速度で移動するように構成されている。そして、Ｖミラー２４Ａ，２４Ｂにて反射した原稿Ｄの光像を撮像レンズ２５を介して撮像素子２６に結像させる。
【００３０】
撮像素子２６は、原稿Ｄにて反射した光像を１画素毎に光電変換する光電変換素子であり、主走査方向に伸びるラインセンサ（ラインＣＣＤ）で構成されていおり、１ライン単位で原稿の画像を読み取る。原稿台ガラス３１上に載置された原稿Ｄに対しては、光源２２、第１ミラー２３、Ｖミラー２４Ａ，２４Ｂが副走査方向に移動することにより、原稿Ｄの全面の画像を読み取ることができる。
【００３１】
なお、光源２２、第１ミラー２３、Ｖミラー２４Ａ，２４Ｂ、撮像レンズ２５、撮像素子２６などから構成された読取光学装置２０をスキャナとも称す。
【００３２】
読み取られた原稿の画像は、周知の如く、デジタルの画像信号に変換され、画像形成装置２において半導体レーザーから該画像信号に基づいた出力光が感光ドラムに照射され、潜像が形成される。続いて、周知の帯電、露光、現像、転写、分離、クリーニング等の処理が行われて、給紙手段から搬送された用紙に画像が転写される。画像を担持した用紙は定着手段により定着され、装置外の排紙トレイに排出される。
【００３３】
以上の如き自動原稿搬送装置１を出荷するときには、自動原稿搬送装置１を梱包箱に梱包して出荷する。図５は自動原稿搬送装置１を梱包した梱包箱５の斜視図である。
【００３４】
「発明が解決しようとする課題」で述べた如く、自動原稿搬送装置１を画像形成装置２に搭載する際に、従来は、サービスマンが自動原稿搬送装置１と共に同梱されている搭載説明書を紛失して、例えば調整範囲が分からなくなってしまったり、サービスマンが多数の同一機種を続けて設置する場合は、搭載説明書が一冊あれば充分であって、他の搭載説明書は無駄になったり、サービスマンが搭載手順や調整手順を覚えてしまったときにも、搭載説明書が不要になったりするといったことが生じた。
【００３５】
このような問題を解決するために、この梱包箱５の外表面には搭載説明５ａが直に印刷されている。従って、搭載説明を冊子化する費用を削減でき、しかも、搭載説明５ａが大型の梱包箱５に印刷されているので、従来の如く紛失することもない。
【００３６】
なお、搭載説明５ａは梱包箱５のどの面に印刷されていてもよいし、何カ所印刷されていてもよい。
【００３７】
また、搭載説明５ａとしては、同梱されている部品を示す同梱部品表、自動原稿搬送装置１の搭載手順を説明した搭載手順書、若しくは搭載した自動原稿搬送装置１を調整するための調整手順書の少なくとも何れか一つからなる。そして、同梱部品表には、サービスマンが現地で自動原稿搬送装置１を画像形成装置２に搭載するためのユニットや部品、画像確認用のチャート等とその数量とが記載されていて、搭載作業前に必要な部品が全て間違いなく梱包されているかどうかを確認できる。搭載手順書には、サービスマンが現地で自動原稿搬送装置１を画像形成装置２に搭載するための手順が図解説明されていて、この説明に沿って搭載すれば、正確且つ効率的に搭載することができる。また、調整手順書には、搭載後に自動原稿搬送装置１を調整するための調整手順や調整規格値等が記載されていて、例えば、歪み調整、縦横倍率調整、再スタートタイミング調整、片寄り調整、スキャナ濃度調整等がある。
【図面の簡単な説明】
【００３８】
【図１】自動原稿搬送装置の斜視図である。
【図２】自動原稿搬送装置を画像形成装置に搭載した斜視図である。
【図３】自動原稿搬送装置の断面図である。
【図４】自動原稿搬送装置の搬送経路の説明図である。
【図５】自動原稿搬送装置を梱包した梱包箱の斜視図である。
【符号の説明】
【００３９】
１  自動原稿搬送装置
２  画像形成装置
５  梱包箱
５ａ  搭載説明
【図１】
2005053544.tif 000003
【図２】
2005053544.tif 000004
【図３】
2005053544.tif 000005
【図４】
2005053544.tif 000006
【図５】
2005053544.tif 000007